(57)【要約】【課題】  ハンドカッターの刃物に加圧水を噴射冷却し、その際に発生する飛散水により、コンクリートやモルタル等の、壁・天井・床等を破砕する際に発生する粉塵を落下させて、視界を改善する粉塵対策型建築壁破砕用ハンドカッターの開発・提供する事にある。【解決手段】  常温水に圧力を加える為の圧縮機と、該圧縮機から送出された空気を一定の圧力に保持する為の圧力計付圧力調整弁と安全弁を有する加圧式給水タンクと、該圧縮機から供給する空気により回転作動するハンドカッターと、該ハンドカッターの刃物を加圧水により冷却し、且つ、コンクリートやモルタル等の、壁・天井・床等を破砕する際に発生する粉塵を飛散させ、視界を改善する為の噴射ノズル付開閉バルブで構成され、且つ、圧縮機と加圧式給水タンク間、及び加圧式給水タンクと噴射ノズル付開閉バルブ間、更に圧縮機とハンドカッター間に各ホースをそれぞれ接続して設けたものである。【選択図】  図３
0003105738.tif 000002
【実用新案登録請求の範囲】
【請求項１】
建築用の壁・天井・床等に使用されているコンクリートやモルタル等を切断又は切削するハンドカッターにおいて、該ハンドカッターは、常温水（Ｗ）に圧力を加える為の圧縮機（Ｃ）と、該圧縮機（Ｃ）から送出された空気（Ａ）を一定の圧力に保持する為の圧力計（ＰＧ）付圧力調整弁（ＲＶ）と安全弁（ＳＶ）を有する加圧式給水タンク（２）と、該圧縮機（Ｃ）から供給する空気（Ａ）により回転作動するハンドカッター（１）と、該ハンドカッター（１）の刃物（１ｂ）に加圧水（Ｗ’）を噴射冷却し、その際に発生する飛散水により、コンクリートやモルタル等、壁・天井・床等を切断又は切削する際に発生する粉塵を低下させて、視界を改善する為の噴射ノズル（１ｃ’）付開閉バルブ（１ｃ）で構成され、且つ、圧縮機（Ｃ）と加圧式給水タンク（２）間、及び加圧式給水タンク（２）と噴射ノズル（１ｃ’）付開閉バルブ（１ｃ）間、更に、圧縮機（Ｃ）とハンドカッター（１）間に、各ホース（Ｈ１）（Ｈ２）（Ｈ３）をそれぞれ接続して設けた事を特徴とする粉塵対策型土木建築用ハンドカッター。
【請求項２】
加圧式給水タンク（２）は、縦型円筒形状又は箱型形状の給水タンク本体（２ａ）の上部中央に給水口（２ｄ）と、上部一端に給気口（２ｂ）と、上部他端に止水弁（ＳＴＶ）付加圧水用排水口（２ｃ）をそれぞれ設け、且つ、該給水口（２ｄ）の上部にはキャップ（２ｄ’）を設け、且つ、該給気口（２ｂ）の上部には配管部材（Ｐ）と安全弁（ＳＶ）と圧力計（ＰＧ）付圧力調整弁（ＲＶ）とホース接続金具（２ｆ）を並設し、且つ、該加圧水用排水口（２ｃ）の上下部には、配管部材（Ｐ）とホース接続金具（２ｅ）を組み合わせて設けた事を特徴とする請求項１記載の粉塵対策型土木建築用ハンドカッター。
【考案の詳細な説明】
【技術分野】
【０００１】
この考案は、土木建築用の壁・天井・床等に使用されているコンクリートやモルタル等を切断又は切削する粉塵対策型土木建築用ハンドカッターに関するものである。
【背景技術】
【０００２】
従来、建築用の壁・天井・床等に使用されているコンクリートやモルタル等を切断又は切削する際、水を使用しない、所謂乾式工法の場合、前方が見えなくなる程、粉塵が漂い作業性が悪く、しかも人体に悪影響を及ぼす等の公害問題に成っていた。
【０００３】
又、水を使用した水切り、所謂湿式工法の場合は、水道水を直接放水したり、又は、ポンプを使用して加圧水を放水したりしていた為、水の使用量が非常に多く、しかも坊削汚泥が流出し、公害問題に成りかねない為、その汚泥の回収作業に多大の労力を費やしていた。
【０００４】
上記、ハンドカッターとは使用目的が若干異なるが、道路カッターの刃物冷却方法の出願がされているので一例を紹介する。（例えば、特許文献１参照。）
【特許文献１】特開平６−１０８４１３
【考案の開示】
【考案が解決しようとする課題】
【０００５】
そこで、上記問題を解決する為に、圧縮機と、圧力計付圧力調整弁と安全弁を有する加圧式給水タンクと、噴射ノズル付開閉バルブをそれぞれホースで接続し、ハンドカッターの刃物に加圧水を噴射冷却し、その際に発生する飛散水により、コンクリートやモルタル等の、壁・天井・床等を切断又は切削する際に発生する粉塵を低下させて、視界を改善する粉塵対策型土木建築用ハンドカッターの開発・提供する事にある。
【課題を解決するための手段】
【０００６】
この課題を解決する為の手段として、この考案は常温水に圧力を加える為の圧縮機と、該圧縮機から送出された空気を一定の圧力に保持する為の圧力計付圧力調整弁と安全弁を有する加圧式給水タンクと、該圧縮機から供給する空気により回転作動するハンドカッターと、該ハンドカッターの刃物を加圧水により冷却し、且つ、コンクリートやモルタル等の、壁・天井・床等を切断又は切削する際に発生する粉塵を飛散させ、視界を改善する為の噴射ノズル付開閉バルブで構成され、且つ、圧縮機と加圧式給水タンク間、及び加圧式給水タンクと噴射ノズル付開閉バルブ間、更に、圧縮機とハンドカッター間に、各ホースをそれぞれ接続して設けたものである。
【考案の効果】
【０００７】
この考案の効果として、圧縮機と、圧力計付圧力調整弁と安全弁を有する加圧式給水タンクと、噴射ノズル付開閉バルブをそれぞれホースで接続し、ハンドカッターの刃物を加圧水で冷却し、且つ、コンクリートやモルタル等の、壁・天井・床等を切断又は切削する際に発生する粉塵を飛散させる事で、従来に比較し、埃や粉塵が１／２以下に成り、且つ、水の消費量が１／１０以下に減少し、又、更に水と粉塵が混和され、周囲を汚さず、汚泥の回収が簡単に出来るように成る等、極めて有益なる効果を奏するものである。
【考案を実施するための最良の形態】
【０００８】
この考案を実施する為の最良の形態としては、土木建築の壁・天井・床等を切断又は切削する際の平均作業時間と、作業環境状況等に適合した圧縮機とカッターの性能、及び加圧式給水タンクの容量を選定する事が重要となる。
【実施例１】
【０００９】
この考案の一実施例を図１〜図２に基づいて詳述すると、建築用の壁・天井・床等に使用されているコンクリートやモルタル等を切断又は切削するハンドカッターにおいて、該ハンドカッターは、常温水（Ｗ）に圧力を加える為の圧縮機（Ｃ）と、該圧縮機（Ｃ）から送出された空気（Ａ）を一定の圧力に保持する為の圧力計（ＰＧ）付圧力調整弁（ＲＶ）と安全弁（ＳＶ）を有する加圧式給水タンク（２）と、該圧縮機（Ｃ）から供給する空気（Ａ）により回転作動するハンドカッター（１）と、該ハンドカッター（１）の刃物（１ｂ）に加圧水（Ｗ’）を噴射冷却し、その際に発生する飛散水により、コンクリートやモルタル等、壁・天井・床等を切断又は切削する際に発生する粉塵を低下させて、視界を改善する為の噴射ノズル（１ｃ’）付開閉バルブ（１ｃ）で構成され、且つ、圧縮機（Ｃ）と加圧式給水タンク（２）間、及び加圧式給水タンク（２）と噴射ノズル（１ｃ’）付開閉バルブ（１ｃ）間、更に、圧縮機（Ｃ）とハンドカッター（１）間に、各ホース（Ｈ１）（Ｈ２）（Ｈ３）をそれぞれ接続して設けた事を特徴とする粉塵対策型土木建築用ハンドカッター
から構成される。
【００１０】
又、加圧式給水タンク（２）は、縦型円筒形状又は箱型形状の給水タンク本体（２ａ）の上部中央に給水口（２ｄ）と、上部一端に給気口（２ｂ）と、上部他端に止水弁（ＳＴＶ）付加圧水用排水口（２ｃ）をそれぞれ設け、且つ、該給水口（２ｄ）の上部にはキャップ（２ｄ’）を設け、且つ、該給気口（２ｂ）の上部には配管部材（Ｐ）と安全弁（ＳＶ）と圧力計（ＰＧ）付圧力調整弁（ＲＶ）とホース接続金具（２ｆ）を並設し、且つ、該加圧水用排水口（２ｃ）の上下部には、配管部材（Ｐ）とホース接続金具（２ｅ）を組み合わせて設けた事を特徴とする粉塵対策型土木建築用ハンドカッターから構成される。
【００１１】
最初にこの考案の部品構成について説明すると、主に圧縮機（Ｃ）と、加圧式給水タンク（２）と、ハンドカッター（１）と、噴射ノズル（１ｃ’）付開閉バルブ（１ｃ）で構成されている。
【００１２】
そして、次に圧縮機（Ｃ）の主な仕様（性能）について説明すると、定格使用時間が１時間（最高圧力７ｋｇ／ｃｍ2時）で、吐出空気量が１４．５ｌ／ｍｉｎ（２ｋｇ／ｃｍ2時）である。
【００１３】
次に、加圧式給水タンク（２）について詳細に説明すると、図２に示す様に、タンク容量は約７Ｌで、タンクの中央上部にはキャップ（２ｄ’）付の給水口（２ｄ）を設け、且つ、タンク上部の一端側には給気口（２ｂ）を設け、その給水口（２ｂ）には一定の圧力を保持する為の安全弁（ＳＶ）と圧力計（Ｐ）付圧力調整弁（ＲＶ）を並設し、先端部にはホース接続金具を設けている。又、タンク上部の他端側には、加圧水用の排水口を設け、排水口からタンク内部の下方に向けて配管部材を設け、排水口の上部には配管部材（パイプとエルボ）とホース接続金具を設けている。そして、上記圧力調整弁（ＲＶ）の設定圧力は、１．５〜２．０ｋｇ／ｃｍ2にして使用する。
【００１４】
次に、各機器間を接続する接続ホースについて説明すると、圧縮機（Ｃ）と加圧式給水タンク（２）間に使用する接続ホース（Ｈ１）と、加圧式給水タンク（２）とハンドカッター（１）間に使用する接続ホース（Ｈ２）と、圧縮機（Ｃ）とハンドカッター（１）間に使用する接続ホース（Ｈ３）の３種類が使用されている。
【００１５】
次に、ハンドカッター（１）の作動方法及び加圧水（Ｗ’）排出量の調整方法について説明すると、まず、ハンドカッター（１）の作動は、図１に示す様に、圧縮機（エアコンプレッサー）から供給されたエア（Ａ）は、ハンドカッター本体（１ａ）の付け根部にある作動開閉用グリップ（１ａ’）を左右方向に捻る事によって、バルブが開閉されてカッターの刃物（１ｂ）部が回転作動する。又、加圧式給水タンクから排出された加圧水（Ｗ’）の排出量調整方法は、ハンドカッターのカバー側面に取り付けた噴射ノズル（１ｃ’）付開閉バルブ（１ｃ）のレバーを右回転方向に回して閉じると加圧水（Ｗ’）の排出量が減少し、逆に左回転方向に回して開けると加圧水（Ｗ’）の排出量は増加する。従って、ハンドカッター（１）を使用する時の作業環境に応じて、開閉バルブを適宜調整しながら加圧水の排出量を調整する。尚、上記噴射ノズル（１ｃ’）の穴径は現場の状況に応じて０．４ｍｍを基準に、０．１ｍｍ〜２．０ｍｍの間で段階的に使用する。
【産業上の利用可能性】
【００１６】
この考案の粉塵対策型建築壁破砕用ハンドカッターは、ハンドカッターの刃物に加圧水を噴射冷却し、その際に発生する飛散水により、コンクリートやモルタル等の、壁・天井・床等を切断又は切削する際に発生する粉塵を低下させて、視界を改善する為、作業性・安全性・経済性に優れ、且つ、環境衛生面で広範囲の市場に寄与する点で産業上の利用可能性を有する。
【図面の簡単な説明】
【００１７】
【図１】この考案の一実施例を示し、ハンドカッターの斜視図である。
【図２】この考案の一実施例を示し、加圧式給水タンクの斜視図である。
【図３】この考案の使用例を示し、斜視図である。
【符号の説明】
【００１８】
１  ハンドカッター
１ａ  ハンドカッター本体
１ａ’  作動開閉用グリップ
１ｂ  刃物
１ｃ  開閉バルブ
１ｃ’  噴射ノズル
２  加圧式給水タンク
２ａ  加圧式給水タンク本体
２ｂ  給気口
２ｃ  加圧水用排水口
２ｄ  給水口
２ｄ’  キャップ
２ｅ  ホース接続金具
２ｆ  ホース接続金具
Ａ  空気
Ｐ  配管部材
ＰＧ  圧力計
ＲＶ  圧力調整弁
ＳＶ  安全弁
ＳＴＶ  止水弁
Ｗ  常温水
Ｗ’  加圧水
【図１】
0003105738.tif 000003
【図２】
0003105738.tif 000004
【図３】
0003105738.tif 000005